(57)【要約】【課題】微小ビームスポットに対応可能なＢＣＡパターン（管理情報）を備えた情報記憶媒体を提供すること。【解決手段】ディスク状の情報記憶媒体は、同心円状の管理情報エリアを備え、前記管理情報エリアは、半径方向に並んだ複数の溝又はマークの集合体により構成される円周方向に並んだ複数の棒状のパターンを含み、この円周方向に並んだ複数の棒状のパターンは、管理情報を構成する。【選択図】    図１
2006155802.tif 000002
【特許請求の範囲】
【請求項１】
ディスク状の情報記憶媒体であって、
同心円状の管理情報エリアを備え、
前記管理情報エリアは、半径方向に並んだ複数の溝又はマークの集合体により構成される円周方向に並んだ複数の棒状のパターンを含み、
この円周方向に並んだ複数の棒状のパターンは、管理情報を構成する、
ことを特徴とする情報記憶媒体。
【請求項２】
前記溝又は前記マークの幅Ｗは、０．１５μｍ≦Ｗ≦０．５μｍであることを特徴とする請求項１に記載の報記憶媒体。
【請求項３】
半径方向に隣接し合う前記溝同士又は前記マーク同士の間の距離Ｄは、Ｄ≦０．５μｍであることを特徴とする請求項１に記載の情報記憶媒体。
【請求項４】
半径方向に隣接し合う前記溝同士又は前記マーク同士の円周方向のずれ量Ｓは、０．５μｍ≦Ｓ≦５．０μｍであることを特徴とする請求項１に記載の情報記憶媒体。
【請求項５】
ディスク状の情報記憶媒体であって、
同心円状の管理情報エリアを備え、
前記管理情報エリアは、半径方向及び円周方向に並んだ複数のマークの集合体により構成される円周方向に並んだ複数の棒状のパターンを含み、
この円周方向に並んだ複数の棒状のパターンは、管理情報を構成する、
ことを特徴とする情報記憶媒体。
【請求項６】
ディスク状の情報記憶媒体をプレスにより成形するためのスタンパーであって、
同心円状の管理情報エリアをプレスにより成形するための管理情報スタンプエリアを備え、
前記管理情報スタンプエリアは、半径方向に並んだ複数の溝の集合体により構成される円周方向に並んだ複数の棒状のパターンを含み、
この円周方向に並んだ複数の棒状のパターンは、管理情報を構成する、
ことを特徴とするスタンパー。
【請求項７】
前記溝の幅Ｗは、０．１５μｍ≦Ｗ≦０．５μｍであることを特徴とする請求項６に記載のスタンパー。
【請求項８】
半径方向に隣接し合う前記溝同士の間の距離Ｄは、Ｄ≦０．５μｍであることを特徴とする請求項６に記載のスタンパー。
【請求項９】
半径方向に隣接し合う前記溝同士の円周方向のずれ量Ｓは、０．５μｍ≦Ｓ≦５．０μｍであることを特徴とする請求項６に記載のスタンパー。
【請求項１０】
ディスク状の情報記憶媒体に対して管理情報を記録する管理情報記録装置であって、
ディスク状の情報記憶媒体に対して光ビームを照射し、この情報記憶媒体上に複数の溝又はマークを記録する記録手段と、
前記光ビームの照射位置を制御する照射位置制御手段と、
を備え、
前記記録手段及び前記照射位置制御手段によりこの情報記憶媒体上の所定位置に複数の溝又はマークを記録した結果、半径方向に記録された複数の溝又はマークの集合体により構成される円周方向に並んだ複数の棒状のパターンは、管理情報を構成する、
ことを特徴とする管理情報記録装置。
【請求項１１】
前記溝又は前記マークの幅Ｗは、０．１５μｍ≦Ｗ≦０．５μｍであることを特徴とする請求項１０に記載の管理情報記録装置。
【請求項１２】
半径方向に隣接し合う前記溝同士又は前記マーク同士の間の距離Ｄは、Ｄ≦０．５μｍであることを特徴とする請求項１０に記載の管理情報記録装置。
【請求項１３】
半径方向に隣接し合う前記溝同士又は前記マーク同士の円周方向のずれ量Ｓは、０．５μｍ≦Ｓ≦５．０μｍであることを特徴とする請求項１０に記載の管理情報記録装置。
【請求項１４】
同心円状の管理情報エリアは、半径方向に並んだ複数の溝又はマークの集合体により構成される円周方向に並んだ複数の棒状のパターンを含み、この円周方向に並んだ複数の棒状のパターンは、管理情報を構成し、前記管理情報エリアを備えたディスク状の情報記憶媒体から前記管理情報を再生するディスク装置であって、
前記管理情報エリアに対して光ビームを照射する照射手段と、
前記照射手段により照射された光ビームの反射光に基づき前記管理情報を再生する再生手段と、
を備えたことを特徴とするディスク装置。
【請求項１５】
同心円状の管理情報エリアは、半径方向に並んだ複数の溝又はマークの集合体により構成される円周方向に並んだ複数の棒状のパターンを含み、この円周方向に並んだ複数の棒状のパターンは、管理情報を構成し、前記管理情報エリアを備えたディスク状の情報記憶媒体から前記管理情報を再生する管理情報再生方法であって、
前記管理情報エリアに対して光ビームを照射し、
前記照射された光ビームの反射光を検出し、
前記検出された検出信号に基づき前記管理情報を再生する、
ことを特徴とする管理情報再生方法。
【発明の詳細な説明】
【技術分野】
【０００１】
本発明は、例えばＤＶＤ−ＲＯＭ、ＤＶＤ−Ｒ、ＤＶＤ−ＲＷ、ＤＶＤ−ＲＡＭなどのディスク状の情報記憶媒体に関する。また、本発明は、ディスク状の情報記憶媒体をプレスにより成形するためのスタンパーに関する。また、本発明は、ディスク状の情報記憶媒体に対して管理情報を記録する管理情報記録装置に関する。また、本発明は、同心円状の管理情報エリアに形成された複数の溝又は同心円状の管理情報エリアに記録された複数のマークから管理情報を再生するディスク装置及び管理情報再生方法に関する。
【背景技術】
【０００２】
ＤＶＤ等の光ディスクには、バーコード状のパターンが記録されるＢＣＡ（Burst Cutting Area）と呼ばれる領域が設けられている。例えば、バーコード状のパターンに対応した変調信号とディスク回転モーターからの信号とを同期させて、ディスク上にバーコード状のパターンを記録する技術が提案されている（特許文献１参照）。
【特許文献１】特開２００４−１５２４２９号公報
【発明の開示】
【発明が解決しようとする課題】
【０００３】
現世代の光ディスクよりもさらに記録密度が向上する次世代の光ディスクの再生には、現世代の光ディスクの再生に用いられているビームスポット径よりもさらに小さいビームスポット径の光ビームが利用される。つまり、現世代の光ディスクに適用される比較的大きいサイズのＢＣＡパターンをそのまま次世代の光ディスクに適用すると、次のような問題が生じる。次世代の光ディスクの再生用のビームスポット径は、現世代の光ディスクのＢＣＡパターンのサイズに比べて極端に小さい。このため、次世代の光ディスクに適用される極めて小さいサイズのビームスポット径により現世代の光ディスクに適用される比較的大きいサイズのＢＣＡパターンを再生しようとすると、ＢＣＡパターンからの再生信号にひずみが生じる。つまり、ＢＣＡパターンを正確に再生できなくなるおそれがある。
【０００４】
本発明の目的は、上記課題を解決するためになされたものであり、微小ビームスポットに対応可能なＢＣＡパターン（管理情報）を備えた情報記憶媒体を提供することにある。また、本発明の目的は、微小ビームスポットに対応可能なＢＣＡパターン（管理情報）を備えた情報記憶媒体をプレスにより成形することが可能なスタンパーを提供することにある。また、本発明の目的は、微小ビームスポットに対応可能なＢＣＡパターン（管理情報）を記録可能な管理情報記録装置を提供することにある。また、本発明の目的は、微小ビームスポットによりＢＣＡパターン（管理情報）を正しく再生することが可能なディスク装置及び管理情報再生方法を提供することにある。
【課題を解決するための手段】
【０００５】
この発明の情報記憶媒体、スタンパー、管理情報記録装置、ディスク装置、管理情報再生方法は、以下のように構成されている。
【０００６】
（１）この発明の情報記憶媒体は、同心円状の管理情報エリアを備え、前記管理情報エリアは、半径方向に並んだ複数の溝又はマークの集合体により構成される円周方向に並んだ複数の棒状のパターンを含み、この円周方向に並んだ複数の棒状のパターンは、管理情報を構成する。
【０００７】
（２）この発明の情報記憶媒体は、同心円状の管理情報エリアを備え、前記管理情報エリアは、半径方向及び円周方向に並んだ複数のマークの集合体により構成される円周方向に並んだ複数の棒状のパターンを含み、この円周方向に並んだ複数の棒状のパターンは、管理情報を構成する。
【０００８】
（３）この発明のスタンパーは、同心円状の管理情報エリアをプレスにより成形するための管理情報スタンプエリアを備え、前記管理情報スタンプエリアは、半径方向に並んだ複数の溝の集合体により構成される円周方向に並んだ複数の棒状のパターンを含み、この円周方向に並んだ複数の棒状のパターンは、管理情報を構成する。
【０００９】
（４）この発明の管理情報記録装置は、ディスク状の情報記憶媒体に対して光ビームを照射し、この情報記憶媒体上に複数の溝又はマークを記録する記録手段と、前記光ビームの照射位置を制御する照射位置制御手段とを備え、前記記録手段及び前記照射位置制御手段によりこの情報記憶媒体上の所定位置に複数の溝又はマークを記録した結果、半径方向に記録された複数の溝又はマークの集合体により構成される円周方向に並んだ複数の棒状のパターンは、管理情報を構成する。
【００１０】
（５）この発明のディスク装置は、管理情報エリアを備えたディスク状の情報記憶媒体から管理情報を再生するものであって、
前記管理情報エリアは、半径方向に並んだ複数の溝又はマークの集合体により構成される円周方向に並んだ複数の棒状のパターンを含み、この円周方向に並んだ複数の棒状のパターンは、管理情報を構成しており、
このディスク装置は、前記管理情報エリアに対して光ビームを照射する照射手段と、前記照射手段により照射された光ビームの反射光に基づき前記管理情報を再生する再生手段とを備えている。
【００１１】
（６）この発明の管理情報再生方法は、管理情報エリアを備えたディスク状の情報記憶媒体から管理情報を再生するものであって、
前記管理情報エリアは、半径方向に並んだ複数の溝又はマークの集合体により構成される円周方向に並んだ複数の棒状のパターンを含み、この円周方向に並んだ複数の棒状のパターンは、管理情報を構成しており、
この管理情報再生方法は、前記管理情報エリアに対して光ビームを照射し、前記照射された光ビームの反射光を検出し、前記検出された検出信号に基づき前記管理情報を再生する。
【発明の効果】
【００１２】
本発明によれば、微小ビームスポットに対応可能なＢＣＡパターン（管理情報）を備えた情報記憶媒体を提供できる。また、本発明によれば、微小ビームスポットに対応可能なＢＣＡパターン（管理情報）を備えた情報記憶媒体をプレスにより成形することが可能なスタンパーを提供できる。また、本発明によれば、微小ビームスポットに対応可能なＢＣＡパターン（管理情報）を記録可能な管理情報記録装置を提供できる。また、本発明によれば、微小ビームスポットによりＢＣＡパターン（管理情報）を正しく再生することが可能なディスク装置及び管理情報再生方法を提供できる。
【発明を実施するための最良の形態】
【００１３】
以下、図面を参照し、本発明の実施形態について説明する。
【００１４】
図１は、本発明の情報記憶媒体の一例の光ディスク（再生専用光ディスク、追記型光ディスク、書換型光ディスク）におけるＢＣＡ（Burst Cutting Area）の構成を示す図である。また、図２は、この光ディスクの作成方法の流れを示す図である。また、図３は、この光ディスク上に形成されるＢＣＡの中のＢＣＡパターンの第１例を示す図である。図４は、この光ディスク上に形成されるＢＣＡの中のＢＣＡパターンの第２例を示す図である。なお、見方を変えると、図１は、本発明の一例のスタンパーにおけるＢＣＡの構成を示す図でもある。同様に、図３は、このスタンパー上に形成されるＢＣＡの中のＢＣＡパターンの第１例を示す図でもある。図４は、このスタンパー上に形成されるＢＣＡの中のＢＣＡパターンの第２例を示す図でもある。なお、スタンパーとは、光ディスクをプレスにより成形するためのものである。
【００１５】
光ディスクＯＤには、ディスク製造時にディスク固有の情報又は管理情報をあらかじめ記録される。ディスク固有の情報とは、例えばコピープロテクション情報である。例えば、コピープロテクション情報は、個々のディスクの識別に使用される。
【００１６】
ＣＤ，ＤＶＤ，ＢＤ，ＨＤ ＤＶＤなどの光ディスクにおいて、このようなディスク固有の情報又は管理情報はディスク内周部のＢＣＡ内にバーコード状のパターンとして、あらかじめ刻まれる。このようなバーコード状のパターンが刻まれたＢＣＡをディスク上に設けるには、光ディスク成形時の型となるスタンパーにＢＣＡ内のバーコード状のパターンを刻んでおくという方法がある。或いは、製盤後のディスクの反射膜をレーザーなどで焼き切ってバーコード状のパターンを刻んだり、製盤後のディスクの無機材料や有機色素の記録層にバーコード状のパターンを記録したりして、ＢＣＡを設けることが出来る。
【００１７】
ＢＣＡ内のバーコード状のパターンは、次のようにして読み取られる。まずディスクを回転させて光ディスク記録再生装置のレーザービームをディスク表面にフォーカスさせる。レーザービームがＢＣＡに入ると、このレーザービームの反射光にはＢＣＡ内のバーコード状のパターンが反映される。つまり、このレーザービームの反射光を検出することにより、ＢＣＡ内のバーコード状のパターンを再生することができる。
【００１８】
例えばＨＤ ＤＶＤ（次世代ＤＶＤ）などの高密度光ディスクに適用されるレーザービームのスポット径は、約０．５μｍである。これに対して、現世代の光ディスクに適用されているＢＣＡ内のバーコード一本の幅（円周方向）は約１０μｍである。このように、読み取られるべきバーコード状のパターンに対してレーザービームのスポット径が極めて小さい。このため、バーコード状のパターンの再生信号にひずみが現れる可能性がある。例えばバーコードの中央部では信号がＬｏｗレベルになるべきところが、バーコードのエッジから離れているがために逆にＨｉｇｈレベルに近くなってしまうなどの現象が起こる。
【００１９】
そこで本発明では、ＢＣＡ内のパターンを次のように形成する。図１又は図３に示すように、光ディスク（情報記憶媒体）Ｄは、同心円状のＢＣＡ（管理情報エリア）１を備えている。このＢＣＡ１は、円周方向及び半径方向に刻まれた複数の溝１１、又は円周方向及び半径方向に記録された複数のマーク１２を備えている。マーク１２は、凹凸状のものでもよいし、相変化または色素変化により記録されたものでもよい。また、このマーク１２の反射率は、マーク１２が無い部分の反射率より低くなる。なお、その逆で、このマーク１２の反射率は、マーク１２が無い部分の反射率より高くなるようにしてもよい。また、半径方向に並んだ溝１１又はマーク１２の集合体は、ＢＣＡパターン１０（棒状のパターン）を形成している。また、円周方向に並んだＢＣＡパターン１０の集合体は、ディスク固有の情報又は管理情報を構成する。別の言い方をすれば、ＢＣＡ１は、半径方向に並んだ複数の溝１１又はマーク１２の集合体により構成される円周方向に並んだ複数のＢＣＡパターン１０を含む。そして、この円周方向に並んだ複数のＢＣＡパターン１０が、管理情報を構成する。
【００２０】
また、溝１１又はマーク１２の幅Ｗ（半径方向の長さ）は、０．１５μｍ≦Ｗ≦０．５μｍである。また、半径方向に隣接し合う溝１１又はマーク１２同士の間（エッジ間）の距離Ｄは、Ｄ≦０．５μｍである。また、半径方向に隣接し合う溝１１又はマーク１２同士の円周方向のずれ量Ｓは、０．５μｍ≦Ｓ≦５．０μｍである。なお、円周方向に隣接し合うＢＣＡパターン１０同士の距離は、半径方向に隣接し合う溝１１又はマーク１２同士の間（エッジ間）の距離Ｄよりも十分長くなっており、このような距離間隔で配置されるＢＣＡパターン１０によりディスク固有の情報又は管理情報が構成される。
【００２１】
以上のように、溝１１又はマーク１２の幅や間隔は、ビームスポット径（約０．５μｍ）を意識して決定されている。光ディスク記録再生装置により上記した光ディスクＯＤのＢＣＡ１を再生したときに得られる再生信号のひずみは十分に抑制されることになる。
【００２２】
本実施形態では、ＨＤ ＤＶＤ（次世代ＤＶＤ)を想定する。その場合、光ディスクＯＤは、直径１２０ｍｍで厚さが１．２ｍｍ（０．６ｍｍのポリカーボネート成形基板２枚の貼り合せ）であり、ＢＣＡは半径２２．３〜２３．１ｍｍのドーナツ状に形成されているとする。この光ディスクＯＤの記録再生には、記録再生光として波長４０５ｎｍを採用し、ＮＡ０．６５の光学系を採用する。なお、本実施形態は、このスペックに限定されるものではない。
【００２３】
図２を参照して、光ディスクＯＤの作成方法の流れを説明する。原盤としては表面を研磨洗浄したガラスを用いる(ＳＴ２１)。その原盤表面にフォトレジストを塗布し(ＳＴ２２)、その表面をレーザービームなどで露光することで情報を記録する（ＳＴ２３)。次に露光した原盤を現像し、ピットやグルーブ溝の凹凸を形成する(ＳＴ２４)。その後、その原盤をメッキ処理することでスタンパーＳＴを作成する(ＳＴ２５)。そのスタンパーＳＴを型として射出成形により樹脂成形基板を作成する(ＳＴ２６)。こうして作られた成形基板上に、書換型や追記型ディスクの場合は記録層と反射層を、再生専用型ディスクの場合は反射層のみを形成する(ＳＴ２７)。そして基板を貼り合せることで光ディスクの形状になる(ＳＴ２８)。
【００２４】
光ディスクにＢＣＡ１（溝１１）を設ける第１の方法としては、原盤露光の工程（ＳＴ２３）で溝１１を記録する方法がある。この方法だとディスク一枚一枚に個別の情報を記録することは出来ないが、原盤に一度だけ溝１１を記録するだけで、溝１１が形成されたスタンパーＳＴを得ることができ、このスタンパーＳＴによりＢＣＡ記録済みのディスクを量産することができる。つまり、この第１の方法は、ディスクの量産性に優れる。
【００２５】
図１又は図３に示すように、スタンパーＳＴは、同心円状のＢＣＡ（管理情報エリア）１を備えている。このＢＣＡ１は、円周方向及び半径方向に刻まれた複数の溝１１を備えている。また、半径方向に並んだ溝１１の集合体は、ＢＣＡパターン１０を形成している。また、円周方向に並んだＢＣＡパターン１０の集合体は、管理情報を構成する。別の言い方をすれば、ＢＣＡ１は、半径方向に並んだ複数の溝１１又はマーク１２の集合体により構成される円周方向に並んだ複数のＢＣＡパターン１０を含む。そして、この円周方向に並んだ複数のＢＣＡパターン１０が、管理情報を構成する。
【００２６】
また、溝１１の幅Ｗは、０．１５μｍ≦Ｗ≦０．５μｍである。また、半径方向に隣接し合う溝１１同士の間（エッジ間）の距離Ｄは、Ｄ≦０．５μｍである。また、半径方向に隣接し合う溝１１同士の円周方向のずれ量Ｓは、０．５μｍ≦Ｓ≦５．０μｍである。なお、円周方向に隣接し合うＢＣＡパターン１０同士の距離は、半径方向に隣接し合う溝１１同士の間（エッジ間）の距離Ｄよりも十分長くなっており、このような距離間隔で配置されるＢＣＡパターン１０によりディスク固有の情報又は管理情報が構成される。
【００２７】
以上のように、溝１１のサイズ及び配置間隔等は、約０．５μｍのビームスポット径に対して極端に大きいパターンではなく、この約０．５μｍのビームスポット径に対して適切なサイズ及び配置間隔となる。言い換えればパターンのエッジが、常にビームスポット内に現れるような状態になる。こうしておけば、例えばＢＣＡ１からの再生信号が、ＬｏｗレベルであるべきところでＨｉｇｈレベルになるような信号の歪みを抑えることが出来る。
【００２８】
なお、ずれ量Ｓの上限５．０μｍという値は、ＢＣＡ１からの再生信号に許容されるずれ量０．７５μｓ（２７６０ｒｐｍでディスクを回転したときにＬｏｗレベルの長さは１．５６±０．７５μｓでなければならない）を距離に直したものである。この値以内ならば溝の並びにずれがあってもＢＣＡ１は正しく再生でき、また逆に故意に溝の並びをずらすことによってパターンのエッジがなるべくビームスポット内に現れるような状態を維持することができ、再生信号の歪みを抑えることが出来る。
【００２９】
光ディスクにＢＣＡ１（溝１１又はマーク１２）を設ける第２の方法としては、製盤終了後の光ディスクＯＤに対してＢＣＡ記録装置（管理情報記録装置）によりＢＣＡに溝１１又はマーク１２のパターンを記録する方法がある。この方法では、ＢＣＡ記録装置のレーザービームによりディスクの反射膜を焼き切って溝１１を形成したり（再生専用型ディスク）、ＢＣＡ記録装置のレーザービームでディスクの記録層にマーク１２を記録したり（書換型ディスク、追記型ディスク）する。ディスク一枚一枚に記録するための時間がかかり生産性はやや劣るが、ディスク一枚一枚に個別の情報を記録することができる。例えばコピープロテクションなどに有効なディスク識別情報の記録に適している。
【００３０】
また、上記以外に、図４に示すようなＢＣＡパターンとしてもよい。つまり、図４に示すように、光ディスク（情報記憶媒体）Ｄは、同心円状のＢＣＡ（管理情報エリア）１ａを備えている。このＢＣＡ１ａは、円周方向及び半径方向に刻まれた複数のマーク１２ａを備えている。マーク１２ａは、相変化または色素変化により記録されたものである。また、半径方向に並んだマーク１２ａと円周方向に並んだ一部のマーク１２ａの集合体は、ＢＣＡパターン１０ａ（棒状のパターン）を形成している。また、円周方向に並んだ前記ＢＣＡパターン１０ａの集合体は、ディスク固有の情報又は管理情報を構成する。別の言い方をすれば、ＢＣＡ１ａは、半径方向及び円周方向に並んだ複数のマーク１２ａの集合体により構成される円周方向に並んだ複数のＢＣＡパターン１０ａを含む。そして、この円周方向に並んだ複数のＢＣＡパターン１０ａが、管理情報を構成する。
【００３１】
また、マーク１２ａの幅Ｗ（半径方向の長さ）は、０．１５μｍ≦Ｗ≦０．５μｍである。また、一つのＢＣＡパターン１０ａを構成する半径方向に隣接し合うマーク１２ａ同士の間（エッジ間）の距離Ｄは、Ｄ≦０．５μｍである。
【００３２】
上記したように、溝１１又はマーク１２、１２ａのサイズを光ディスク記録再生装置のビームスポット径のサイズに近くすることで、ＢＣＡからの再生信号のひずみを抑えることが出来る。
【００３３】
次に、図５及び図６を参照して、ＢＣＡ記録装置（管理情報記録装置）の概略構成について説明する。図５は、ＢＣＡ記録装置（管理情報記録装置）の第１例の概略構成を示す図である。図６は、ＢＣＡ記録装置（管理情報記録装置）の第２例の概略構成を示す図である。
【００３４】
図５に示すように、ＢＣＡ記録装置は、コントローラ３１、レーザー出力制御部３２、フィード機構３３、光ヘッド３４、スピンドル駆動部３５、ランダム遅延回路３６、スピンドルモータ３７を備えている。
【００３５】
コントローラ３１は、ＢＣＡパターンに対応したＢＣＡ信号を発生したり、フィード機構制御信号を発生したり、また同期信号を発生したりする。レーザー出力制御部３２、ＢＣＡ信号に基づき光ヘッド３４を構成するレーザー３４ａの駆動を制御する。つまり、レーザー３４ａは、ＢＣＡパターンに対応したレーザービームを照射する。フィード機構３３は、フィード機構制御信号に基づき光ヘッド３４をディスクの半径方向に移動させる。また、光ヘッド３４を構成するアクチュエーター３４ｂが、レーザー３４ａから照射されるビームスポットの照射位置を微調整する。
【００３６】
スピンドル駆動部３５は、同期信号に基づきスピンドル駆動信号を発生する。ランダム遅延回路３６は、スピンドル駆動信号にランダムな遅延成分を加える。スピンドルモータ３７は、ランダムな遅延成分を含むスピンドル駆動信号に基づき回転し、このスピンドルモータ３７の回転により光ディスクＯＤも回転する。その結果、図１、図３、図４に示すＢＣＡパターン１０、１０ａを、ディスク上に形成することができる。
【００３７】
図６に示すように、ＢＣＡ記録装置は、コントローラ４１、レーザー出力制御部４２、フィード機構４３、光ヘッド４４、スピンドル駆動部４５、スピンドルモータ４７、高周波ＯＮ／ＯＦＦ回路４８を備えている。
【００３８】
コントローラ４１は、ＢＣＡパターンに対応したＢＣＡ信号を発生したり、フィード機構制御信号を発生したり、また同期信号を発生したりする。高周波ＯＮ／ＯＦＦ回路４８は、ＢＣＡ信号をマーク列に分割する。レーザー出力制御部４２、ＢＣＡ信号に基づき光ヘッド４４を構成するレーザー４４ａの駆動を制御する。つまり、レーザー４４ａは、ＢＣＡパターンに対応したレーザービームを照射する。フィード機構４３は、フィード機構制御信号に基づき光ヘッド４４をディスクの半径方向に移動させる。また、光ヘッド４４を構成するアクチュエーター４４ｂが、レーザードライバー４４ａから照射されるビームスポットの照射位置を微調整する。
【００３９】
スピンドル駆動部４５は、同期信号に基づきスピンドル駆動信号を発生する。スピンドルモータ４７は、スピンドル駆動信号に基づき回転し、このスピンドルモータ４７の回転により光ディスクＯＤも回転する。その結果、図１、図３、図４に示すＢＣＡパターン１０、１０ａを、ディスク上に形成することができる。
【００４０】
次に、図７〜図１１を参照して、光ディスクＯＤのＢＣＡに記録されたＢＣＡパターン（管理情報）の再生について説明する。図７は、光ディスクＯＤのＢＣＡに記録されたＢＣＡパターン（管理情報）を再生する光ディスク装置の概略構成を示す図である。図８は、ＢＣＡにおけるビームスポットの動きを説明するための図である。図９は、ＢＣＡから直接得られる再生信号を説明するための図である。図１０は、光ディスクＯＤのＢＣＡに記録されたＢＣＡパターン（管理情報）を再生する再生方法を説明するためのフローチャートである。図１１は、ＢＣＡから得られた再生信号をフィルター処理した後の再生信号を説明するための図である。
【００４１】
図７に示すように、光ディスク装置は、コントローラ５１、記録信号処理回路５２、レーザードライバー（ＬＤ）５３、光ピックアップヘッド（ＰＵＨ）５４、プリアンプ５５、サーボ回路５６、ＢＣＡ信号処理回路５７、ＲＦ信号処理回路５８、アドレス信号処理回路５９を備えている。さらに、光ピックアップヘッド（ＰＵＨ）５４は、レーザー５４ａ、アクチュエーター（ＡＣＴ）５４ｂ、フォトディテクター（ＰＤ）５４ｃを備えている。
【００４２】
情報記録時には、コントローラ５１は記録信号を出力し、記録信号処理回路５２はこの記録信号を変調し、レーザードライバー（ＬＤ）５３は変調された記録信号に基づきレーザー５４ａを駆動する。つまり、レーザー５４ａは、記録信号に対応したレーザービームを照射する。これにより、光ディスクＯＤに対して情報が記録される。
【００４３】
情報再生時には、レーザードライバー（ＬＤ）５３は再生信号に基づきレーザー５４ａを駆動する。これにより、レーザー５４ａは、再生用のレーザービームを照射する。このレーザービームの照射により、光ディスクＯＤから反射される反射光は、フォトディテクター５４ｃにより検出される。フォトディテクター５４ｃは、反射光成分を電気信号として出力する。なお、フォトディテクター５４ｃは、複数の光検出素子（例えば４つの光検出素子）により構成されている。各光検出素子により検出された信号成分を加算した信号を和信号、またある光検出素子により検出された信号成分から残りの光検出素子により検出された信号成分を減算した信号を差信号と呼ぶ。プリアンプ５５は、フォトディテクター５４ｃから出力される電気信号を増幅する。
【００４４】
サーボ回路５６は、コントローラ５１からのサーボ制御信号及びフォトディテクター５４ｃにより検出されプリアンプにより増幅された電気信号に基づきサーボ信号を生成する。アクチュエーター（ＡＣＴ）５４ｂは、サーボ信号に基づき、フォーカス、トラッキング、チルトを制御する。
【００４５】
ＢＣＡ信号処理回路５７は、フォトディテクター５４ｃにより検出されプリアンプにより増幅された電気信号（和信号）を処理してＢＣＡパターンを再生する。ＢＣＡ信号処理回路５７は、ローパスフィルター５７ａを備えており、ローパスフィルター５７ａにより高周波成分のノイズが除去される。ＲＦ信号処理回路５８は、フォトディテクター５４ｃにより検出されプリアンプにより増幅された電気信号（和信号）を処理してコンテンツ情報を再生する。アドレス信号処理回路５９は、フォトディテクター５４ｃにより検出されプリアンプにより増幅された電気信号（和信号）を処理して物理アドレス情報を再生する。
【００４６】
図８に示すように、ＢＣＡ再生時には、再生光のビームスポットのトラッキング制御はオフになる。従って、再生光のビームスポットは、ＢＣＡ内のＢＣＡパターン１０、１０ａを斜めに通過することがある。これに伴い、図９に示すように、ＢＣＡから直接得られる再生信号には、ＢＣＡパターンの信号成分に加えて、パターンの隙間からの微小な信号がノイズとして含まれる。このノイズを除去するのが、図７に示すＢＣＡ信号処理回路５７のローパスフィルター５７ａである。
【００４７】
図１０を参照して、ＢＣＡパターンの再生をまとめる。まず、光ディスクＯＤが装着され（ＳＴ３１）、スピンドルモータ３７が回転し（ＳＴ３２）、フォーカスがオンし（ＳＴ３３）、ビームスポットがＢＣＡへ移動する（ＳＴ３４）。これにより、ＢＣＡからの再生信号が得られ（ＳＴ３５）、ローパスフィルター処理（ＳＴ３６）を経て、図１１に示すような高周波成分のノイズが除去された再生信号が得られる（ＳＴ３７）。この高周波成分のノイズの除去により、正確にＢＣＡを再生することができる。
【００４８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４９】
【図１】本発明の一例の光ディスク（再生専用光ディスク、追記型光ディスク、書換型光ディスク）におけるＢＣＡ（Burst Cutting Area）の構成を示す図である。
【図２】この光ディスクの作成方法の流れを示す図である。
【図３】この光ディスク上に形成されるＢＣＡの中のＢＣＡパターンの第１例を示す図である。
【図４】この光ディスク上に形成されるＢＣＡの中のＢＣＡパターンの第２例を示す図である。
【図５】ＢＣＡ記録装置（管理情報記録装置）の第１例の概略構成を示す図である。
【図６】ＢＣＡ記録装置（管理情報記録装置）の第２例の概略構成を示す図である。
【図７】光ディスクＯＤのＢＣＡに記録されたＢＣＡパターン（管理情報）を再生する光ディスク装置の概略構成を示す図である。
【図８】ＢＣＡにおけるビームスポットの動きを説明するための図である。
【図９】ＢＣＡから直接得られる再生信号を説明するための図である。
【図１０】光ディスクＯＤのＢＣＡに記録されたＢＣＡパターン（管理情報）を再生する再生方法を説明するためのフローチャートである。
【図１１】ＢＣＡから得られた再生信号をフィルター処理した後の再生信号を説明するための図である。
【符号の説明】
【００５０】
ＯＤ…光ディスク、ＳＴ…スタンパー、１…ＢＣＡ、１０…ＢＣＡパターン、１１…溝、１２、１２ａ…マーク、３１…コントローラ、３２…レーザー出力制御部、３３…フィード機構、３４…光ヘッド、３５…スピンドル駆動部、３６…ランダム遅延回路、３７…スピンドルモータ、４１…コントローラ、４２…レーザー出力制御部、４３…フィード機構、４４…光ヘッド、４５…スピンドル駆動部、４７…スピンドルモータ、４８…高周波ＯＮ／ＯＦＦ回路、５１…コントローラ、５２…記録信号処理回路、５３…レーザードライバー（ＬＤ）、５４…光ピックアップヘッド（ＰＵＨ）、５５…プリアンプ、５６…サーボ回路、５７…ＢＣＡ信号処理回路、５８…ＲＦ信号処理回路、５９…アドレス信号処理回路５４ａ…レーザー、５４ｂ…アクチュエーター（ＡＣＴ）、５４ｃ…フォトディテクター（ＰＤ）
【図１】
2006155802.tif 000003
【図２】
2006155802.tif 000004
【図３】
2006155802.tif 000005
【図４】
2006155802.tif 000006
【図５】
2006155802.tif 000007
【図６】
2006155802.tif 000008
【図７】
2006155802.tif 000009
【図８】
2006155802.tif 000010
【図９】
2006155802.tif 000011
【図１０】
2006155802.tif 000012
【図１１】
2006155802.tif 000013